(57)【要約】【課題】連続する媒体の送り孔を含む端部領域に存在する紙粉を当該端部領域に向き合う除去位置で除去する除去装置を、その媒体の搬送異常の対処作業時に当該媒体から離れた位置に容易に退避させることができる画像記録装置を提供する。【解決手段】画像記録装置は、送り孔９１が設けられた連続する媒体９を搬送するとともに媒体９の送り孔９１を含む端部領域Ｅ１，Ｅ２を覆うように閉じられる開閉可能な覆い部材５６を有する搬送装置５０と、搬送装置５０により搬送される媒体９の送り孔を含む端部領域Ｅ１，Ｅ２に存在する紙粉を当該端部領域に向き合う除去位置Ｐ１で除去する除去装置６０とを備え、除去装置６０は、除去位置Ｐ１と媒体９から離れた退避位置Ｐ２との間を移動するように支持されているとともに、搬送装置５０の覆い部材５６の開閉動作に連動して除去位置Ｐ１と退避位置Ｐ２の間を移動するよう覆い部材５６に連結されている。【選択図】図９
2019052014.tif 000002
【特許請求の範囲】
【請求項１】
送り孔が設けられた連続する媒体を搬送するとともに前記媒体の送り孔を含む端部領域を覆うように閉じられる開閉可能な覆い部材を有する搬送装置と、
前記搬送装置により搬送される媒体の送り孔を含む端部領域に存在する紙粉を当該端部領域に向き合う除去位置で除去する除去装置と、
を備え、
前記除去装置は、前記除去位置と前記媒体から離れた退避位置との間を移動するように支持されているとともに、前記搬送装置の覆い部材の開閉動作に連動して前記除去位置と前記退避位置の間を移動するよう前記覆い部材に連結されている画像記録装置。
【請求項２】
前記除去装置は、連続する媒体の搬送時における幅の方向に沿って移動するように支持されており、前記退避位置が前記媒体の幅方向の両端よりも外側の位置に設定されている請求項１に記載の画像記録装置。
【請求項３】
前記除去装置の覆い部材は、連続する媒体の搬送時における幅方向の両端よりも外側の位置に配置される支点を中心に揺動して開閉されるとともに、前記除去装置に近い側の部位に当該除去装置にむけて突出する突起を有し、
前記除去装置は、前記覆い部材の開閉時の揺動運動を当該除去装置の移動させられる力に変換して受けるよう前記突起を案内する案内溝が設けられている請求項１又は２に記載の画像記録装置。
【請求項４】
前記案内溝は、連続する媒体の記録面の鉛直方向に延びる直線状の溝として構成されている請求項３に記載の画像記録装置。
【請求項５】
前記搬送装置は、連続する媒体の搬送時における幅方向に沿って移動するように支持されているとともに、前記媒体の幅の寸法に応じて前記幅の方向に移動させられて搬送動作位置が調整されるよう構成されており、
前記除去装置は、前記搬送装置の搬送動作位置を調整する動作に連動して一体になって移動させられる請求項１乃至４のいずれかに記載の画像記録装置。
【請求項６】
前記除去装置は、前記除去位置において連続する媒体の前記端部領域に接触せずに向き合った状態で紙粉の除去を行う非接触式の除去装置として構成されている請求項１乃至５のいずれかに記載の画像記録装置。
【請求項７】
前記除去装置は、前記除去位置と前記退避位置の間を移動する可動部と、移動せずに固定されている固定部と、前記可動部と前記固定部を可撓性のある構造で接続する接続部とで構成されている請求項６に記載の画像記録装置。
【発明の詳細な説明】
【技術分野】
【０００１】
この発明は、画像記録装置に関するものである。
【背景技術】
【０００２】
従来、送り孔が設けられた連続する媒体（連続用紙等）に画像を記録する装置であって、その媒体に存在する紙粉を除去する除去手段を設けた画像記録装置としては、以下に例示する特許文献に記載されたものが知られている。
【０００３】
例えば、下記特許文献１には、搬送孔付き媒体の搬送経路に配置された抜出器であってその搬送孔と噛み合いながら媒体の搬送と連続して無端移動する抜出部材を含み、この抜出部材により搬送孔内に残留するピンカス（紙粉）を抜き出す抜出器と、その抜出器の下流にて搬送経路に配置され、搬送孔近傍の媒体の部位のみを挟み込んで前記部位に摺擦し、少なくとも抜出部材によって搬送孔から抜き出されたピンカスを媒体から除去する除去パッドとを備えたピンカス除去装置を有する画像形成装置が示されている。
【０００４】
また、下記特許文献２には、給送方向に沿って延びる両辺部に給送方向に一定間隔をあけて給紙孔が存在し、且つ給紙孔と給紙孔との間に複数紙葉の綴じ合わせ用切り込み片部が適宜形成された綴じ合わせ用紙に存在する紙粉を除去する装置であって、紙粉を吸引除去する吸引手段を有し、その吸引手段は２以上の吸引口を有し、その吸引口がそれぞれ綴じ合わせ用紙の給送方向に沿って延びる両辺部に配置され、且つ綴じ合わせ用紙側面に向かって配置されてなる綴じ合わせ用紙の紙粉除去装置を備えた画像記録装置が示されている。
また、特許文献２には、その吸引手段の給送方向手前に、更に綴じ合わせ用紙の表裏面に接触して紙粉をかき取る接触媒体を具備させることも示されている。
【０００５】
さらに、下記特許文献３には、用紙の搬送部と、用紙上に画像を印刷する印刷部と、用紙の搬送方向について印刷部よりも上流側に配備され、その用紙の搬送に随伴する気流により搬送されてきた紙粉を除去する除去部とを備え、その除去部が、搬送中の用紙との間に空間をあけて用紙に対向する対向部と、その対向部の搬送方向下流側の部分から用紙に向かって用紙に垂直に向かう向きを含む搬送方向上流側に斜めに向かう向きに用紙近傍にまで延在する延在部とを有し、その用紙の搬送に随伴する気流を用紙から剥離して還流させる還流形成部と、その還流形成部により形成された還流を捕えて還流中の紙粉を回収する紙粉回収部とを有する画像記録装置が示されている。
また、特許文献３には、前記延在部が用紙に近接した側の先端部に開口した中空形状を有し、前記除去部がその延在部に空気を送り込んで前記開口から吹き出させる送風部を備えることが示されている。さらに、特許文献３には、前記延在部の前記空間側に沿って用紙に向けて空気を吹き付ける送風部を備えることも示されている。
【先行技術文献】
【特許文献】
【０００６】
【特許文献１】特許第４１６６３５６号公報
【特許文献２】特開２００１−２２６００３号公報
【特許文献３】特開２０１６−５５９４７号公報
【発明の概要】
【発明が解決しようとする課題】
【０００７】
この発明は、連続する媒体の送り孔を含む端部領域に存在する紙粉を当該端部領域に向き合う除去位置で除去する除去装置を、その媒体の着脱等をともなう作業時に当該媒体から離れた位置に容易に退避させることができる画像記録装置を提供するものである。
【課題を解決するための手段】
【０００８】
この発明（Ａ１）の画像記録装置は、
送り孔が設けられた連続する媒体を搬送するとともに前記媒体の送り孔を含む端部領域を覆うように閉じられる開閉可能な覆い部材を有する搬送装置と、
前記搬送装置により搬送される媒体の送り孔を含む端部領域に存在する紙粉を当該端部領域に向き合う除去位置で除去する除去装置と、
を備え、
前記除去装置は、前記除去位置と前記媒体から離れた退避位置との間を移動するように支持されているとともに、前記搬送装置の覆い部材の開閉動作に連動して前記除去位置と前記退避位置の間を移動するよう前記覆い部材に連結されているものである。
【０００９】
この発明（Ａ２）の画像記録装置は、上記発明Ａ１の画像記録装置において、前記除去装置は、連続する媒体の搬送時における幅の方向に沿って移動するように支持されており、前記退避位置が前記媒体の幅方向の両端よりも外側の位置に設定されているものである。
この発明（Ａ３）の画像記録装置は、上記発明Ａ１又はＡ２の画像記録装置において、前記除去装置の覆い部材は、連続する媒体の搬送時における幅方向の両端よりも外側の位置に配置される支点を中心に揺動して開閉されるとともに、前記除去装置に近い側の部位に当該除去装置にむけて突出する突起を有し、
前記除去装置は、前記覆い部材の開閉時の揺動運動を当該除去装置の移動させられる力に変換して受けるよう前記突起を案内する案内溝が設けられているものである。
この発明（Ａ４）の画像記録装置は、上記発明Ａ３の画像記録装置において、前記案内溝は、連続する媒体の記録面の鉛直方向に延びる直線状の溝として構成されているものである。
【００１０】
この発明（Ａ５）の画像記録装置は、上記発明Ａ１からＡ４のいずれかの画像記録装置において、前記搬送装置は、連続する媒体の搬送時における幅方向に沿って移動するように支持されているとともに、前記媒体の幅の寸法に応じて前記幅方向に沿って移動させられて搬送動作位置が調整されるよう構成されており、
前記除去装置は、前記搬送装置の搬送動作位置を調整する動作に連動して一体になって移動させられるものである。
この発明（Ａ６）の画像記録装置は、上記発明Ａ１からＡ５のいずれかの画像記録装置において、前記除去装置は、前記除去位置において連続する媒体の前記端部領域に接触せずに向き合った状態で紙粉の除去を行う非接触式の除去装置として構成されているものである。
この発明（Ａ７）の画像記録装置は、上記発明Ａ６の画像記録装置において、前記除去装置は、前記除去位置と前記退避位置の間を移動する可動部と、移動せずに固定されている固定部と、前記可動部と前記固定部を可撓性のある構造で接続する接続部とで構成されているものである。
【発明の効果】
【００１１】
上記発明Ａ１の画像記録装置によれば、連続する媒体の送り孔を含む端部領域に存在する紙粉を当該端部領域に向き合う除去位置で除去する除去装置を、その媒体の着脱等をともなう作業時に当該媒体から離れた位置に容易に退避させることができる。
【００１２】
上記発明Ａ２の画像記録装置では、退避位置が連続する媒体の幅方向の左右両端よりも外側の位置に設定されていない場合に比べて、除去装置を、連続する媒体の着脱等をともなう作業に支障がない位置に的確に退避させることができる。
上記発明Ａ３の画像記録装置では、除去装置を、搬送装置の覆い部材と簡易な構造で連結させて、連続する媒体の着脱等をともなう作業時に当該媒体から離れた位置に容易に退避させることができる。
上記発明Ａ４の画像記録装置では、除去装置を、搬送装置の覆い部材とより簡易な構造で連結させて、連続する媒体の着脱等をともなう作業時に当該媒体から離れた位置に容易に退避させることができる。
【００１３】
上記発明Ａ５の画像記録装置では、搬送装置の搬送動作位置の調整動作に併せて、除去装置を記録媒体の幅の寸法に応じた適切な除去位置に移動させることができる。
上記発明Ａ６の画像記録装置では、除去装置が連続する媒体の一部領域に接触した状態で紙粉の除去を行う接触式の除去装置である場合に比べて、除去装置の移動を連続する媒体に損傷を与えるおそれがなく行うことができる。
上記発明Ａ７の画像記録装置では、可動部の小型化により除去装置の移動を容易にすることができる。
【図面の簡単な説明】
【００１４】
【図１】実施の形態１に係る画像記録装置の構成を示す概要図である。
【図２】（ａ）は図１の画像記録装置の一部を示す概略平面図であり、（ｂ）は（ａ）のＱ−Ｑ線に沿う概略断面図である。
【図３】図１の画像記録装置における搬送装置の構成を示す概略平面図である。
【図４】（ａ）は覆い部材を閉じたときの搬送装置の状態を示す概略断面図であり、（ｂ）は覆い部材を開けたときの搬送装置の状態を示す概略断面図である。
【図５】覆い部材を閉じたときの搬送装置と除去装置との状態を示す斜視図である。
【図６】（ａ）は除去装置の構成を示す概略側面図であり、（ｂ）は除去装置の構成を示す概略平面図である。
【図７】覆い部材を閉じたときの搬送装置と除去位置にある除去装置との状態を示す斜視図である。
【図８】覆い部材を閉じたときの搬送装置と除去位置にある除去装置との状態および動作を示す概要図である。
【図９】覆い部材を開けたときの搬送装置と退避位置にある除去装置との状態を示す斜視図である。
【図１０】覆い部材を開けたときの搬送装置と退避位置にある除去装置との状態および動作を示す概要図である。
【図１１】画像記録装置において覆い部材を開けた搬送装置と退避位置にある除去装置との状態を示す概略平面図である。
【図１２】覆い部材を閉じた搬送装置の移動と除去装置の移動との状態および動作を示す概要図である。
【図１３】画像記録装置において覆い部材を開じた搬送装置の移動と除去装置の移動との状態を示す概略平面図である。
【発明を実施するための形態】
【００１５】
以下、この発明を実施するための形態について図面を参照しながら説明する。
【００１６】
［実施の形態１］
図１は、実施の形態１に係る画像記録装置１の構成を概念的に示している。
この画像記録装置１は、送り孔が設けられた連続する連続帳票等の連続用紙９に対して所望の画像を記録するための装置である。
【００１７】
画像記録装置１は、図１に示されるように、連続用紙９を収容して供給する給紙装置１０、連続用紙９に画像を記録する記録装置３０、画像が形成された連続用紙９を回収する回収装置４０、連続用紙９を記録装置３０に所要の速度で搬送する搬送装置５０、搬送装置５０により搬送される連続用紙９に存在する紙粉等を除去する除去装置６０等を備えている。
【００１８】
はじめに、この画像記録装置１に使用される連続用紙９は、図２（ａ）等に示されるように、その搬送される方向（搬送方向）Ａと直交する幅方向の両端部に、その搬送方向Ａに沿って一定の間隔で１列に並ぶ複数の送り孔（スプロケット孔）９１が設けられている。また、連続用紙９は、その搬送方向Ａと直交する幅方向に延びるミシン目等の折り曲げ線９２が搬送方向Ａに一定の間隔をあけて設けられている。さらに、この連続用紙９は、その幅方向の上記送り孔９１が設けられた両端部を除く内側の部分に、画像を記録すべき領域が形成されている。
【００１９】
次に、上記給紙装置１０は、連続用紙９を折り曲げ線９２で折り返すように交互に折り畳んだ状態にして収容する収容体１１と、収容体１１に折り畳んだ状態で収容されている連続用紙９を繰り出す繰出し装置１２とを備えている。
【００２０】
収容体１１は、記録装置３０や搬送装置５０の下方側に配置され、上方部が開口する箱状の構造物である。繰出し装置１２は、収容体１１の上方側に配置されている。また、繰出し装置１２は、第１送りロール１３、張力付与ロール１４、半円筒面状の摺動面を有する折り返し案内部材１５、第２送りロール１６等で構成されている。
この給紙装置１０における繰出し装置１２は、自ら能動的に作動するものでなく、上記搬送装置５０により連続用紙９が搬送されることにより受動的に作動する。
【００２１】
次に、上記記録装置３０は、インクの液滴を噴射させて画像の記録を行う所謂インクジェット方式の記録装置である。
【００２２】
この記録装置３０は、連続用紙９の幅方向に沿って互い違いに配置される複数（本例では５つ）の分割印字ヘッド３１Ａ〜３１Ｅと、その複数の分割印字ヘッド３１Ａ〜３１Ｅを支持する支持部材３２と、連続用紙９を分割印字ヘッド３１Ａ〜３１Ｅに対して所要の隙間をあけて接近させた状態で通過させるよう案内する案内部材３３とを備えている。
【００２３】
複数の分割印字ヘッド３１Ａ〜３１Ｅは、連続用紙９の幅方向における幅寸法Ｗに応じて必要な数に分割して構成されたものであり、支持部材３２に支持されるよう取り付けられている。
この分割印字ヘッド３１Ａ〜３１Ｅについては、図２（ａ）に実線で例示される幅寸法Ｗ１からなる連続用紙９に対しては４つの分割印字ヘッド３１Ａ〜３１Ｄが使用され、また図２（ａ）に二点鎖線で例示する幅寸法Ｗ２（＞Ｗ１）からなる連続用紙９Ｂに対しては５つの分割印字ヘッド３１Ａ〜３１Ｅが使用されるよう構成されている。
また、各分割印字ヘッド３１Ａ〜３１Ｅはいずれも、連続用紙９の幅方向に沿って列状に配置された図示しない複数のインク吐出孔とその各インク吐出孔にインクを供給して噴射させる図示しない噴射駆動部とを有しており、また、図示しないインク貯留タンクとそれぞれ接続されている。
【００２４】
この記録装置３０においては、分割印字ヘッド３１Ａ〜３１Ｅが図示しない記録駆動制御部により制御されて作動することにより、搬送装置５０から供給される連続用紙９の画像記録領域に対して、画像記録装置１に入力される画像情報に基づいてインクの液滴をドット状に噴射させる。これにより、連続用紙９には、その画像記録領域にインクの液滴からなる画像（インク像）が記録される。
【００２５】
次に、上記回収装置４０は、画像が記録された後の連続用紙９をミシン目で折り畳んだ状態で収容する収容体４１と、記録装置３０から排出される連続用紙９の画像を自然乾燥させて定着させるため連続用紙９を比較的長い搬送距離になるよう搬送する乾燥搬送部４２と、連続用紙９に張力を付与する張力付与装置４３とを備えている。
【００２６】
収容体４１は、例えば、上方部が開口する箱状の構造物である。収容体４１の上方には、回収される連続用紙９をその折り曲げ線９２をきっかけにして交互に折り畳んだ状態にするよう折り曲げることを誘発させる折り誘発部材４１２を配置している。乾燥搬送部４２は、連続用紙９の搬送方向Ａに対して比較的長い間隔をあけて配置される複数の引き回し従動ロール４２１〜４２３等で構成されている。
【００２７】
張力付与装置４３は、連続用紙９の裏面（非画像面）に接触して搬送装置５０による搬送速度よりも少し高速で回転駆動して早めに送る早送りロール４３２と、早送りロール４３２に連続用紙９を押し付ける押圧ロール４３３とで構成されている。
実施の形態１では、連続用紙９の搬送方向Ａに間隔をあけて２つの張力付与装置４３を配置している。また、早送りロール４３２としては、例えば金属製ロールが適用される。
さらに、この回収装置４０では、張力付与装置４３と折り誘発部材４１２との間に、連続用紙９に接触して案内する半円筒面状の摺動面を有する搬送案内部材４４を配置している。
【００２８】
この回収装置４０では、乾燥搬送部４２が記録装置３０から排出された連続用紙９を収容体４１に収容する前に比較的長い時間をかけて搬送する。これにより、記録装置３０で記録された画像を乾燥させて連続用紙９上に定着させている。
また、張力付与装置４３が、連続用紙９を早送りロール４３２と押圧ロール４３３の間で滑らせるように早めに送ることで引っ張るように搬送する。これにより、張力付与装置４３は、搬送装置５０の搬送力により搬送される連続用紙９に対して張力を付与する。この張力を付与して連続用紙９を搬送することにより、その連続用紙９を特に記録装置３０において案内部材３３の案内面に密着させて安定した状態で搬送することができる。
最後に、画像が記録された連続用紙９は、搬送案内部材４４を通過した後に折り誘発部材４１２で折り曲げが誘発されることにより、収容体４１内に交互に折り畳まれた状態で収容される。
【００２９】
＜搬送装置の構成＞
次に、上記搬送装置５０は、連続用紙９の幅方向の両端部に分けて配置される一端の搬送装置５０Ａおよび他端の搬送装置５０Ｂを備えている。
【００３０】
一端の搬送装置５０Ａおよび他端の搬送装置５０Ｂはいずれも、図１から図４等に示されるように、支持部材５２２に対して、連続用紙９の送り孔９１に一時的に嵌め入れられる搬送ピン５２が所要の間隔をあけて一列に並んで突出する状態で設けられたピン付き搬送ベルト５１と、ピン付き搬送ベルト５１を逆三角形状の形態になって回転させるよう掛け回して支持する駆動ロール５３と２つの従動ロール５４，５５と、連続用紙９の送り孔９１を含む端部領域Ｅ１，Ｅ２をそれぞれ覆うように閉じられる開閉可能な覆い部材５６等を配置して構成されている。
【００３１】
一端の搬送装置５０Ａは、その配置位置が固定されているとともに、駆動ロール５３に動力を伝達する回転駆動装置５７が設けられている。一方、他端の搬送装置５０Ｂは、図３等に示されるように、その配置位置（搬送動作位置）が連続用紙９の幅寸法Ｗの広狭に応じて連続用紙９の幅方向に沿う方向Ｃ１，Ｃ２に往復移動するように変位可能に設けられている。搬送装置５０Ａ，５０Ｂにおける搬送動作位置は、ピン付き搬送ベルト５１の搬送ピン５２が搬送対象の連続用紙９における送り孔９１と整合する位置である。
実施の形態１では、他端の搬送装置５０Ｂを、一端の搬送装置５０Ａの駆動ロール５３と共用される駆動ロール５３の駆動軸５３１と棒状の案内支持部材５１２，５１３に移動可能に取り付けている。また、一端の搬送装置５０Ａは、駆動軸５３１および案内支持部材５１２，５１３に固定した状態で取り付けられている。
【００３２】
図３中における符号５０２は搬送装置５０（５０Ａ，５０Ｂ）の全体を支持する支持基板を示す。駆動軸５３１および案内支持部材５１２，５１３は、その各両端部が支持基板５０２に設けられた垂直部材５０３，５０４にそれぞれ固定されている。駆動軸５３１としては、多角形の断面からなる軸部材が使用されている。
また図３中における符号５１５は、２つの搬送装置５０Ａ，５０Ｂの間における連続用紙９の幅方向における部分を下方から支えて連続用紙９の搬送を補助する搬送補助部材である。この搬送補助部材５１５は、案内支持部材５１２，５１３における所定の位置に固定して取り付けられている。
【００３３】
また、他端の搬送装置５０Ｂは、その図示しない支持体の一部が、例えば、図３等に示されるように、連続用紙９の幅方向にほぼ沿って両方向に回転移動する移動ベルト５０５に固定された状態で取り付けられている。
移動ベルト５０５は、支持基板５０２に設けられた複数の支持ロール５０６，５０７に回転可能に掛け回されており、しかも、移動操作ハンドル５０８を例えば手で所要の方向に所要の量だけ回すことにより所要の移動方向Ｃ１，Ｃ２に所要の量だけ回転移動するようになっている。
図５における符号５２３は、他端の搬送装置５０Ｂにおける支持部材５２２のうち案内支持部材５１３に移動可能に取り付ける取付け孔を示す。図５、図８等における符号５２４は、他端の搬送装置５０Ｂにおける支持部材５２２と移動ベルト５０５とを連結して固定する連結固定部材である。
【００３４】
また、搬送装置５０（５０Ａ，５０Ｂ）は、例えば、図３等に示されるように、支持基板５０２における他端の搬送装置５０Ｂ側になる端部に固定配置された電動モータ等の回転駆動装置５７で発生する回転動力が、ベルト５７２等の回転伝達機構５７１を介して駆動軸５３１に伝達される。これにより、搬送装置５０Ａ，５０Ｂでは、その各駆動ロール５３ひいては各ピン付き搬送ベルト５１が所要の同じ速度および方向にそれぞれ回転するようになっている。
【００３５】
さらに、搬送装置５０（５０Ａ，５０Ｂ）における覆い部材５６Ａ，５６Ｂはいずれも、例えば、図４、図５、図８、図９等に示されるように、ピン付き搬送ベルト５１のうち従動ロール５５から駆動ロール５３までの間に存在する部分を覆うように向き合う板状の本体部５６１と、本体部５６１の下面側に設けられ、ピン付き搬送ベルト５１により搬送されるときの連続用紙９における送り孔９１を含む周辺の端部領域Ｅ１，Ｅ２に接近して向き合う覆い部５６５とを備えている。
【００３６】
このうち本体部５６１は、図４等に示されるように、連続用紙９の搬送方向Ａに沿って長い板状の部材である。また、本体部５６１は、図４、図８、図１０等に示されるように、搬送装置５０Ａ，５０Ｂの支持部材５２２のうち連続用紙９の幅方向における両端９ｃ、９ｄよりも外側になる部位５２２ａにおいて、本体部５６１よりも幅の狭い揺動支持部５６２を介して連続用紙９の搬送方向Ａに沿って延びる支点となる揺動軸５６３（図８）を中心に揺動して開閉されるようになっている。本体部５６１の一部には、覆い部材５６Ａ，５６Ｂの開閉動作時に使用する取っ手（把持部）５６４が設けられている。
【００３７】
覆い部５６５は、図４、図８、図９等に示されるように、連続用紙９の送り孔９１に嵌め入れられるときの搬送ピン５２を挟んだ両側部分に接近するまで覆う空間を有し、連続用紙９の搬送方向Ａに沿って直線状に延びる溝５６６が設けられた部材で構成されている。また、覆い部５６５は、その溝５６６の両側に存在する下部５６５ａ，５６５ｂが、連続用紙９の送り孔９１を除く端部領域Ｅ１，Ｅ２に接近して連続用紙９の浮き上がりを押さえる部位として構成されている。
【００３８】
そして、搬送装置５０（５０Ａ，５０Ｂ）は、連続用紙９を必要な量（長さ）だけ連続的に又は間欠的に搬送するようになっている。また、搬送装置５０は、ピン付き搬送ベルト５１と給紙装置１０における繰出し装置１２（第２従動ロール１６）との間に、連続用紙９に接触して案内する半円筒面状の摺動面を有する搬送案内部材５９を配置している（図１）。
【００３９】
＜搬送装置の動作＞
この搬送装置５０（５０Ａ，５０Ｂ）では、例えば画像を記録する時期等の動作時期が到来すると、ピン付き搬送ベルト５１が搬送時の回転方向に所要の速度で連続的に又は間欠的に回転し始める。
これにより、連続用紙９は、その回転するピン付き搬送ベルト５１の複数の搬送ピン５２が従動ロール５５から駆動ロール５３に至るまでの間で対応する複数の送り孔９１に一時的にそれぞれ嵌め入れられた状態になり（図４（ａ））、ピン付き搬送ベルト５１の回転移動に伴って共に移動するようにして搬送され始める。連続用紙９の送り孔９１に嵌め入れられた搬送ピン５２は、ピン付き搬送ベルト５１が駆動ロール５３に掛け回され始めた地点から次第に送り孔９１から抜け出る（図４（ａ））。
【００４０】
また、連続用紙９は、搬送装置５０にて搬送されることにより、給紙装置１０の収容体１１から繰出し装置１２を経由して繰り出されるとともに、記録装置３０に供給される（図１）。
さらに、この搬送装置５０（５０Ａ，５０Ｂ）では、覆い部５６５は、その下部５６５ａ，５６５ｂが連続用紙９の端部領域Ｅ１，Ｅ２に接近して連続用紙９の浮き上がりを押さえる部位として機能する。これにより、連続用紙９は、その送り孔９１がピン付き搬送ベルト５１の搬送ピン５２から抜けた状態になって搬送されないというおそれがなくなり、安定して搬送される。
【００４１】
ちなみに、この画像記録装置１では、１つの連続用紙９に画像の記録を行うとき、その連続用紙９を最初に装着させる作業を行う必要がある。
すなわち、給紙装置１０の収容体１１に初めて収容した連続用紙９（の先端）を、給紙装置１０の繰出し装置１２、搬送装置５０および記録装置３０を通過させた後、回収装置４０の少なくとも張力付与装置４３に至る状態になるよう装着させる。
【００４２】
また、画像記録装置１における覆い部材５６Ａ，５６Ｂは、画像を記録する時期等において連続用紙９を搬送する際には、ピン付き搬送ベルト５１の従動ロール５５から駆動ロール５３に至るまでの部分（連続用紙９が存在する部分）に向き合って覆う状態にするために閉じた状態にされる（図４（ａ），図５等）。また、覆い部材５６Ａ，５６Ｂは、連続用紙９の搬送装置５０に対する着脱の作業を行う際には、ピン付き搬送ベルト５１（連続用紙９）と向き合わず退避させるために開けた状態にされる（図４（ｂ），図９等）。
【００４３】
さらに、他端の搬送装置５０Ｂは、連続用紙９として幅寸法Ｗが異なるものに取り換えて使用する場合は、図１２等に示されるように、その配置位置（搬送動作位置）を連続用紙９の幅寸法Ｗの広狭に応じて変位方向Ｃ１，Ｃ２に沿って所定の量だけ変位させられる。
【００４４】
＜除去装置の構成＞
次に、上記除去装置６０は、図２等に示されるように、搬送装置５０である一端の搬送装置５０Ａと他端の搬送装置５０Ｂに対応させるかたちで、連続用紙９の幅方向の両端部に分けて配置される一端の除去装置６０Ａと他端の除去装置６０Ｂを備えている。
【００４５】
一端の除去装置６０Ａおよび他端の除去装置６０Ｂは、図２、図５、図６等に示されるように、搬送装置５０（５０Ａ，５０Ｂ）で搬送される連続用紙９の送り孔９１を含む端部領域Ｅ１，Ｅ２に存在する紙粉をその端部領域Ｅ１，Ｅ２に向き合う除去位置（Ｐ１）でそれぞれ除去する装置である。
この除去位置（Ｐ１）は、搬送装置５０Ａ，５０Ｂが、連続用紙９のうち記録装置３０による画像の記録が行われる側の面（記録面）９ａにおける端部領域Ｅ１，Ｅ２とそれぞれ向き合って紙粉の除去作業を実際に行うことになる位置である。
【００４６】
実施の形態１における除去装置６０（６０Ａ，６０Ｂ）は、除去位置（Ｐ１）と連続用紙９から離れた退避位置（Ｐ２）との間を移動する移動支持部材６１Ａ，６１Ｂと、移動支持部材６１Ａ，６１Ｂの内側にそれぞれ取り付けられて連続用紙９の端部領域Ｅ１，Ｅ２に紙粉を連続用紙９から引き離すための空気を吹き付ける吹付け装置６２Ａ，６２Ｂと、連続用紙９の少なくとも端部領域Ｅ１，Ｅ２から引き離される紙粉を回収する回収装置６３Ａ，６３Ｂとをそれぞれ有している。
【００４７】
このうち移動支持部材６１Ａ，６１Ｂは、図２、図５等に示されるように、連続用紙９の幅方向に沿って延びるよう設けられた棒状の２本の案内部材６１２，６１３により矢印Ｄ１，Ｄ２で示す方向に対して移動可能に支持されている板状の部材である。
【００４８】
移動支持部材６１Ａ，６１Ｂには、図５、図６等に示されるように、吹付け装置６２Ａ，６２Ｂから吹き付ける空気により連続用紙９から引き離なされる紙粉を散乱させず収集する収集壁６１５や、吹付け装置６２Ａ，６２Ｂから吹き付ける空気により連続用紙９から引き離される紙粉を取り込む取込み口６１６が設けられている。収集壁６１５は、吹付け装置６２Ａ，６２Ｂから連続用紙９の搬送方向Ａの上流側に所要の間隔をあけた位置で連続用紙９の記録面９ａに対して鉛直方向に延びるように存在する板材にて構成されている。取込み口６１６は、連続用紙９の幅方向における端部９ｃ，９ｄにその外側の位置から向き合う状態の開口として設けられている。
また、移動支持部材６１Ａ，６１Ｂは、収集壁６１５や取込み口６１６を含めて、搬送中の連続用紙９に対して接触しない状態に保たれるようになっている。
【００４９】
案内部材６１２，６１３は、除去装置６０（６０Ａ，６０Ｂ）が除去位置（Ｐ１）と退避位置（Ｐ２）との間で移動することが可能な長さを有しており、しかも、他端の除去装置６０Ｂを連続用紙９の幅寸法Ｗに応じた各除去位置（Ｐ１）および退避位置（Ｐ２）まで移動させることが可能な長さも有している。また、案内部材６１２，６１３は、その両端部が画像記録装置１の図示しない支持構造部に固定されている。
【００５０】
実施の形態１における除去装置６０（６０Ａ，６０Ｂ）は、その吹付け装置６２Ａ，６２Ｂが各除去位置（Ｐ１）にそれぞれ存在する構成になっている。このため、退避位置（Ｐ２）は、その吹付け装置６２Ａ，６２Ｂの双方が連続用紙９から離れた状態になるときの位置になる。また、実施の形態１では、退避位置（Ｐ２）について、連続用紙９の幅方向の両端９ｃ，９ｄ（図９〜図１１等）よりも所定の距離だけ外側になる位置に設定している。
【００５１】
吹付け装置６２Ａ，６２Ｂは、送風ファン、送風ダクト等で構成されている。
実施の形態１における吹付け装置６２Ａ，６２Ｂでは、図６（ａ）に示されるように、送風ダクトの空気を最終的に吹き出す吹出し口６２１が設けられている。この吹出し口６２１は、送風ファンで発生させる空気を連続用紙９の端部領域Ｅ１，Ｅ２に対して連続用紙９の搬送方向Ａの上流側に斜め下方にむいて接近した状態（非接触の状態）で設けられている。これにより、吹付け装置６２Ａ，６２Ｂでは、吹出し口６２１から吹き出す空気を、連続用紙９の端部領域Ｅ１，Ｅ２に対してその搬送方向Ａの上流側に斜め上方から吹き付けるようになっている。
【００５２】
回収装置６３Ａ，６３Ｂは、連続用紙９の少なくとも端部領域Ｅ１，Ｅ２から除去される紙粉を吸引して捕捉する吸引捕捉部６３１と、移動支持部材６１Ａ，６１Ｂにおける取込み口６１６と吸引捕捉部６３１の間を接続する接続部６３５とを有している。
【００５３】
吸引捕捉部６３１は、吸気ファン、紙粉捕捉フィルタ等で構成されており、画像記録装置１の図示しない支持構造部に固定して配置されている。
接続部６３５は、移動支持部材６１Ａ，６１Ｂに取り付けられて取込み口６１６と接続する第１接続部６３６と、第１接続部６３６と吸引捕捉部３６１との間を接続する第２接続部６３７とで構成されている。第１接続部６３６は、取込み口６１６と接続して空気を流す通路が設けられた管状の構造部分であり、移動支持部材６１Ａ，６１Ｂに固定して接続されている。第２接続部６３７は、可撓性のある（フレキシブルな）管状の部材で構成されている。
【００５４】
実施の形態１における除去装置６０（６０Ａ，６０Ｂ）は、その除去位置（Ｐ１）において連続用紙９の端部領域Ｅ１，Ｅ２に接触せずに向き合った状態で紙粉の除去を行う非接触式の除去装置として構成されている。
また、この除去装置６０（６０Ａ，６０Ｂ）は、移動支持部材６１Ａ，６１Ｂと吹付け装置６２Ａ，６２Ｂと回収装置６３Ａ，６３Ｂの第１接続部６３６を合わせた部分が、除去位置（Ｐ１）と退避位置（Ｐ２）の間を移動する可動部８１として構成されている。さらに、この除去装置６０（６０Ａ，６０Ｂ）は、回収装置６３Ａ，６３Ｂにおける吸引捕捉部６３１の部分が、移動せずに固定されている固定部８２として構成されている。また、この除去装置６０（６０Ａ，６０Ｂ）は、回収装置６３Ａ，６３Ｂにおける第２接続部６３７の部分が、可動部８１（第１接続部６３６）と固定部８２（吸引捕捉部６３１）を可撓性のある構造で接続する接続部８３として構成されている。
【００５５】
＜除去装置の動作＞
この除去装置６０（６０Ａ，６０Ｂ）は、画像を記録する時期等の動作時期が到来すると、吹付け装置６２Ａ，６２Ｂと回収装置６３Ａ，６３Ｂが始動する。
【００５６】
この際、吹付け装置６２Ａ，６２Ｂでは、図６に例示されるように、送風ファンで発生する吹き付け用の空気（実線矢印）Ｍが、送風ダクトの吹出し口６２１を通して、連続用紙９の少なくとも端部領域Ｅ１，Ｅ２に対して斜め上方から搬送方向Ａの上流側にむけて吹き付けられる。
この空気Ｍの吹き付けにより、その記録用紙９の少なくとも端部領域Ｅ１，Ｅ２に存在する紙粉が引き離された状態かあるいは引き離されやすい状態になる。またこの際、引き離された状態の紙粉は、空気の吹き付けにより連続用紙９の搬送方向Ａの上流側に飛散することなく収集壁６１５により捕集される。
【００５７】
一方、回収装置６３Ａ，６３Ｂでは、吸引捕捉部６３１の吸気ファンによる吸引力（点線矢印）Ｎが、接続部６３５を介して移動支持部材６１Ａ，６１Ｂにおける取込み口６１６に及ぶ（至る）。
この吸引力Ｎが作用することにより、記録用紙９の少なくとも端部領域Ｅ１，Ｅ２から引き離された状態かあるいは引き離されやすい状態の紙粉が、吸引されるようにして取込み口６１６から取り込まれ、しかる後、接続部６３５を経由して吸引捕捉部６３１まで運ばれて捕捉される。
【００５８】
このように除去装置６０（６０Ａ，６０Ｂ）では、記録用紙９の少なくとも端部領域Ｅ１，Ｅ２に存在する紙粉が、吹付け装置６２Ａ，６２Ｂと回収装置６３Ａ，６３Ｂによる除去作用を受けることにより、少なくとも端部領域Ｅ１，Ｅ２から取り除かれて回収される。
【００５９】
また、除去装置６０（６０Ａ，６０Ｂ）は、以下に説明するように、搬送装置５０（５０Ａ，５０Ｂ）において搬送中の連続用紙９に新たに生じる紙粉を効率よく除去する。
すなわち、搬送装置５０（５０Ａ，５０Ｂ）では、搬送対象の連続用紙９の送り孔９１に対してピン付き搬送ベルト５１の搬送ピン５２の嵌め入れ（嵌入）および引き抜き（離脱）が繰り返されるので、連続用紙９の製造時に送り孔９１の開口縁に残存して付着する紙粉が物理的に引き剥がされやすくなり、紙粉が新たに生じる傾向にある。
これに対して、除去装置６０（６０Ａ，６０Ｂ）は、搬送装置５０（５０Ａ，５０Ｂ）の連続用紙９を搬送して送り出す出口側（連続用紙９の搬送方向Ａの下流側になる位置）に配置されている。
このため、除去装置６０（６０Ａ，６０Ｂ）は、このように搬送装置５０（５０Ａ，５０Ｂ）において搬送中の連続用紙９に新たに紙粉が生じることがあっても、連続用紙９が搬送装置５０から送り出された後にその紙粉を除去することになる。
【００６０】
＜除去装置と搬送装置における覆い部材との連結に関する構成＞
そして、画像記録装置１においては、図７から図１１等に示されるように、除去装置６０（６０Ａ，６０Ｂ）が、搬送装置５０（５０Ａ，５０Ｂ）の覆い部材５６Ａ，５６Ｂの開閉動作に連動して除去位置（Ｐ１）と退避位置（Ｐ２）の間を移動するよう覆い部材５６Ａ，５６Ｂに連結されている。
実施の形態１では、この連結に関する構成として次の構成を採用している。
【００６１】
まず、覆い部材５６Ａ，５６Ｂには、図４、図７、図８等に示されるように、その本体部５６１のうち除去装置６０Ａ，６０Ｂに近い側の端部に、連結用の突起７０を設けている。
実施の形態１における突起７０は、連続用紙９の搬送方向Ａに沿って且つ除去装置６０Ａ，６０Ｂに近づくように延びる円柱状の部材である。また、この突起７０は、その配置する位置などを調整する等の観点から、本体部５６１の端部から互いに反対側の除去装置６０Ｂ，６０Ａの方（連続用紙９の中央部側）に突出して延びる補助支持部材７２を設け、その補助支持部材７２の一部（先端部など）に固定して設けられている。
【００６２】
一方、除去装置６０Ａ，６０Ｂには、図５から図８等に示されるように、その移動支持部材６１Ａ，６１Ｂにおける収集壁６１５に、覆い部材５６Ａ，５６Ｂの各開閉時における揺動運動を除去装置６０Ａ，６０Ｂが移動させられる力（Ｆ１，Ｆ２）に変換して受けるよう覆い部材５６Ａ，５６Ｂの各突起７０を案内する案内溝７５がそれぞれ設けられている。
【００６３】
案内溝７５は、連続用紙９の記録面９ａの鉛直方向に沿って延びる直線状の溝として、より具体的には直線状の長孔として構成されている。また、案内溝７５は、覆い部材５６Ａ，５６Ｂの開閉動作にともなう各突起７０の位置等の条件を考慮した長さで形成されている。さらに、案内溝７５は、除去装置６０Ａ，６０Ｂの退避位置（Ｐ２）への移動距離等の条件を考慮して、例えば収集壁６１５のうち各除去装置６０Ａ，６０Ｂの各内側になる端部寄りの位置に存在するよう設けられている。
【００６４】
また、案内溝７５は、覆い部材５６Ａ，５６Ｂがピン付き搬送ベルト５１の従動ロール５５から駆動ロール５３に至るまでの部分（搬送面）とほぼ平行な状態になって閉じているときには、図７や図８に示されるように、突起７０がその案内溝７５の下端部７５ａ側に位置するよう構成されている。
特に閉じているときの覆い部材５６Ｂにおける突起７０と鉛直方向に延びる案内溝７５との位置関係の設定により、他端の除去装置６０Ｂは、連続用紙９の幅寸法Ｗの大きさに応じて搬送動作位置を移動して調整できる他端の搬送装置５０Ｂによる搬送動作位置を調整するための動作に連動して一体になって移動させられるようになっている。
さらに、この案内溝７５は、覆い部材５６Ａ，５６Ｂがピン付き搬送ベルト５１の搬送面から離れてほぼ鉛直方向に起立した状態になって開けられているときには、図９や図１０に示されるように、突起７０がその案内溝７５の上端部７５ｂ側に位置するように構成されている。
【００６５】
＜搬送装置における覆い部材の開閉動作と除去装置の移動動作＞
そして、画像記録装置１では、連続用紙９の初めての装着、連続用紙９の交換、搬送異常（紙詰まり、用紙破損など）になった連続用紙９の取り外しやその装着のし直し等に代表される連続用紙９の着脱をともなう作業が必要になると、搬送装置５０（５０Ａ，５０Ｂ）における覆い部材５６Ａ，５６Ｂを、その閉じた状態から開けた状態にする（図４（ｂ）や図９から図１１）。
【００６６】
この場合は、例えば画像記録装置１の使用者等が取っ手部５６４を手で掴んで開ける操作をすることにより、図４（ａ）や図７、図８に示されるように閉じた状態にある覆い部材５６Ｂが、揺動軸５６３を支点として矢印Ｋ１で示す開ける方向に揺動するように動かされる。このとき、一端の搬送装置５０Ａにおける覆い部材５６Ａについても、その動く向きが覆い部材５６Ｂの場合と対称的な異なる関係になるものの、覆い部材５６Ｂの場合とほぼ同様に動かされる。
【００６７】
覆い部材５６Ｂを開ける動作を行うと、覆い部材５６Ｂにある突起７０が、除去装置６０（他端の除去装置６０Ｂ）における案内溝７５をその下端部７５ａ側からその上端部７５ｂ側にむけて移動するように案内される。一方、このとき突起７０は、連続用紙９の記録面９ａに対して鉛直方向に直線状に延びる案内溝７５に対して、揺動軸５６３を中心にして矢印Ｋ１で示す開ける方向に円弧を描くように移動する（図８）。
【００６８】
この際、その矢印Ｋ１で示す突起７０の円弧を描くような揺動運動が、案内溝７５を連続用紙９の幅方向の一端９ｄから外側に向く矢印Ｄ１で示す第１の移動方向（退避方向でもある）に移動させる力Ｆ１に変換される。
この力Ｆ１により、他端の除去装置６０Ｂは、その可動部８１（吹付け装置６２Ｂなど）が移動支持部材６１Ｂを介して案内部材６１２，６１３に支持された状態で第１の移動方向Ｄ１に移動させられる。
ちなみに、この他端の除去装置６０Ｂの移動時には、その可動部８１のみが移動し、その固定部８３である吸引捕捉部６３１は動かない。なおこの際、その接続部８２は可動部８１の移動に応じて可撓性により弾性変形して対応する。
【００６９】
そして、覆い部材５６Ｂは、図９や図１０に示されるように、鉛直方向に起立した状態になるまで揺動されると、完全に開けられた状態になる。
また、覆い部材５６Ｂが開けられた状態になると、突起７０が案内溝７５の上端部７５ｂ側まで移動して停止し、他端の除去装置６０Ｂにおける可動部８１が連続用紙９の幅方向における一端９ｄよりも外側の位置である退避位置（Ｐ２）まで移動させられて停止する。
【００７０】
これにより、他端の搬送装置５０Ｂでは、図９から図１１に示されるように、覆い部材５６Ｂが開けられた状態になることで、ピン付き搬送ベルト５１の上方側の空間が覆い部材５６Ｂで覆われず開放された状態になる。
この結果、他端の搬送装置５０Ｂにおいて連続用紙９の着脱作業を行うことが可能になる。この点は、一端の搬送装置５０Ａにおいても、図１１に示されるように、その覆い部材５６Ａを開けた状態にすると、上記他端の搬送装置５０Ｂの場合と同様の結果が得られる。
【００７１】
またこれと同時に、他端の除去装置６０Ｂでは、図９から図１１に示されるように、上記覆い部材５６Ｂの開ける動作に連動して、吹付け装置６２Ｂなどの可動部８１が除去位置（Ｐ１）から退避位置（Ｐ２）まで移動させられた状態になる。このため、連続用紙９の少なくとも端部領域Ｅ２の上方側の空間が、吹付け装置６２Ｂなどの可動部８１で覆い隠されることなく開放された状態になる。
この結果、他端の除去装置６０Ｂは連続用紙９が着脱される作業の際に障害になるおそれがなく、連続用紙９の着脱作業を可能にする。この点は、一端の除去装置６０Ａにおいても、図１１に示されるように、一端の搬送装置５０Ａにおける覆い部材５６Ａを開けた状態にすると、その開ける動作に連動して吹付け装置６２Ａなどの可動部８１がその除去位置（Ｐ１）から退避位置（Ｐ２）まで移動させられた状態になり、上記他端の除去装置６０Ｂの場合と同様の結果が得られる。
【００７２】
また、画像記録装置１においては、連続用紙９の着脱をともなう作業などが完了した場合になると、搬送装置５０（５０Ａ，５０Ｂ）における覆い部材５６Ａ，５６Ｂを、その開けた状態から閉じた状態にする（図４（ａ）や図５、図７、図８）。
【００７３】
この場合は、例えば画像記録装置１の使用者等が取っ手部５６４を手で掴んで閉じる操作をすることにより、図４（ｂ）や図９、図１１に示されるように開けた状態にある覆い部材５６Ｂが、揺動軸５６３を支点として矢印Ｋ１で示す開ける方向に揺動するように動かされる。なおこのとき、一端の搬送装置５０Ａにおける覆い部材５６Ａについても、その動く向きが覆い部材５６Ｂの場合と対称的な異なる関係になるものの、覆い部材５６Ｂの場合とほぼ同様に動かされる。
【００７４】
この覆い部材５６Ｂを閉じる動作を行うと、覆い部材５６Ｂにある突起７０が、除去装置６０（他端の除去装置６０Ｂ）における案内溝７５をその上端部７５ｂ側からその下端部７５ａ側にむけて移動するように案内される。一方、このとき突起７０は、連続用紙９の記録面９ａに対して鉛直方向に直線状に延びる案内溝７５に対して、揺動軸５６３を中心にして矢印Ｋ２で示す開ける方向に円弧を描くように移動する（図１０）。
【００７５】
この際、その矢印Ｋ２で示す突起７０の円弧を描くような揺動運動が、案内溝７５を連続用紙９の幅方向の一端９ｄよりも内側に向く矢印Ｄ２で示す第２の移動方向（復帰方向でもある）に移動させる力Ｆ２に変換される。
この力Ｆ２により、他端の除去装置６０Ｂは、その可動部８１（吹付け装置６２Ｂなど）が移動支持部材６１Ｂを介して案内部材６１２，６１３に支持された状態で第２の移動方向Ｄ２に移動させられる。
【００７６】
そして、覆い部材５６Ｂは、図４（ｂ）、図７、図８等に示されるように、連続用紙９の記録面９ａ（ピン付き搬送ベルト５１の搬送面）に接近して平行になる倒れた状態になるまで揺動されると、完全に閉じられた状態になる。
また、覆い部材５６Ｂが閉じられた状態になると、突起７０が案内溝７５の下端部７５ａ側まで移動して停止し、他端の除去装置６０Ｂにおける可動部８１（正確には吹付け装置６２Ｂ）が連続用紙９の端部領域Ｅ２に向き合う位置である除去位置（Ｐ１）まで移動させられて停止する。
【００７７】
これにより、他端の搬送装置５０Ｂでは、図２、図７、図８等に示されるように、覆い部材５６Ｂが閉じられた状態になることで、その覆い部材５６Ｂがピン付き搬送ベルト５１の搬送面やその搬送面上に装着された連続用紙９をその上方側から覆い隠すような状態になる。
この結果、他端の搬送装置５０Ｂにおいて連続用紙９の搬送動作を行うことが可能になる。この点は、一端の搬送装置５０Ａにおいても、図２に示されるように、覆い部材５６Ａを閉じた状態にすると、上記他端の搬送装置５０Ｂの場合と同様の結果が得られる。
【００７８】
またこれと同時に、他端の除去装置６０Ｂでは、図２、図７、図８等に示されるように、上記覆い部材５６Ｂの閉じる動作に連動して、吹付け装置６２Ｂなどの可動部８１が退避位置（Ｐ２）から除去位置（Ｐ１）まで移動させられた状態になる。このため、その吹付け装置６２Ｂが連続用紙９の少なくとも端部領域Ｅ２に対して向き合って覆う状態になる。
この結果、他端の除去装置６０Ｂにおいて連続用紙９の少なくとも端部領域Ｅ２に存在する紙粉を除去する動作が可能になる。この点は、一端の除去装置６０Ａにおいても、図２に示されるように、一端の搬送装置５０Ａにおける覆い部材５６Ａを閉じた状態にすると、その閉じる動作に連動して吹付け装置６２Ａなどの可動部８１がその退避位置（Ｐ２）から除去位置（Ｐ１）まで移動させられた状態になるので、上記他端の除去装置６０Ｂの場合と同様の結果が得られる。
【００７９】
＜搬送装置の搬送動作位置の調整動作と除去装置の移動動作＞
さらに、この画像記録装置１においては、幅寸法Ｗが異なる連続用紙９を用いた画像記録に変更する場合に、他端の搬送装置５０Ｂを連続用紙９の幅寸法Ｗに応じてその幅方向に移動させて搬送動作位置を調整するための動作が必要になると、他端の搬送装置５０Ｂを連続用紙９の幅方向に沿って所要の量だけ移動させる。
【００８０】
ここでは、連続用紙９を幅寸法Ｗ１の連続用紙９からその幅寸法Ｗ１よりも広い幅寸法Ｗ２（＞Ｗ１）の連続用紙９Ｂに変更する場合を例にして、他端の搬送装置５０Ｂの調整動作について説明する。
この場合は、例えば画像記録装置１の使用者等が搬送装置５０における移動操作ハンドル５０８（図３）を掴んで所要の方向に所要の量だけ回す操作をする。これにより、図３、図１２、図１３等に示されるように、移動ベルト５０５が所要の方向に所要の量だけ回転して移動するので、その移動ベルト５０５の回転移動に応じて、他端の搬送装置５０Ｂ（支持部材５２２）が矢印Ｃ１で示す第１の調整移動方向（拡げる方向）に移動させられる。
【００８１】
これにより、他端の搬送装置５０Ｂは、図１２や図１３に示されるように、その支持部材５２２が駆動軸５３１や案内支持部材５１２，５１３に支持された状態で第１の調整移動方向Ｃ１に移動させられる。
この結果、他端の搬送装置５０Ｂは、そのピン付き搬送ベルト５１が、幅寸法Ｗ１の連続用紙９の端部領域Ｅ２における送り孔９１と向き合う搬送動作位置Ｈ１（図８）から、幅寸法Ｗ２の連続用紙９Ｂの端部領域Ｅ２における送り孔９１と向き合う搬送動作位置Ｈ２（図１２）まで移動する。
ちなみに、一端の搬送装置５０Ａは、その設置位置が固定されており、搬送動作位置を調整する動作が不要である。
そして、このような他端の搬送装置５０Ｂの調整動作を行うと、搬送装置５０Ａ，５０Ｂは、図１３に示されるように幅寸法Ｗ２の連続用紙９Ｂの搬送動作を行うことが可能な状態になる。
【００８２】
また、他端の搬送装置５０Ｂの搬送動作位置を調整する移動動作を行うと、その覆い部材５６Ｂにある突起７０が、除去装置６０（他端の除去装置６０Ｂ）における案内溝７５を上記第１の調整移動方向Ｃ１に引っ張って移動するようになる。
【００８３】
この際、その突起７０が第１の調整移動方向Ｃ１に沿って直線的に移動する直線運動は、案内溝７５を上記第１の移動方向Ｄ１と同様の方向に移動させる力Ｆ１１に変換される（図１２）。
この力Ｆ１１により、他端の除去装置６０Ｂは、その可動部８１（吹付け装置６２Ｂなど）が移動支持部材６１Ｂを介して案内部材６１２，６１３に支持された状態で第１の移動方向Ｄ１に移動させられる。
【００８４】
そして、他端の搬送装置５０Ｂは、図１２に示されるように幅寸法Ｗ２の連続用紙９Ｂに対する搬送動作位置Ｈ２まで移動させられて停止すると、その他端の搬送装置５０Ｂによる搬送動作位置の調整動作に連動して、他端の除去装置６０Ｂにおける可動部８１が連続用紙９Ｂの端部領域Ｅ２と向き合う除去位置（Ｐ１Ｂ）まで移動させられて停止する。
この結果、他端の除去装置６０Ｂは、幅寸法Ｗ２の連続用紙９Ｂの少なくとも端部領域Ｅ２に存在する紙粉の除去を行うことが可能になる。
【００８５】
なお、この画像記録装置１においては、連続用紙９について幅寸法Ｗ２の連続用紙９Ｂからその幅寸法Ｗ２よりも狭い幅寸法Ｗ１（＜Ｗ２）の連続用紙９に変更する場合には、他端の搬送装置５０Ｂの搬送動作位置に関する調整動作は上記説明した調整動作とは反対の方向に移動させる動作を行うことになる。
【００８６】
この場合は、例えば画像記録装置１の使用者等が搬送装置５０における移動操作ハンドル５０８（図３）を掴んで所要の方向に所要の量だけ回す操作をする。これにより、図３、図１２、図１３等に示されるように、移動ベルト５０５が所要の方向に所要の量だけ回転して移動するので、その移動ベルト５０５の回転移動に応じて、他端の搬送装置５０Ｂ（支持部材５２２）が矢印Ｃ２で示す第２の調整移動方向（狭める方向）に移動させられる。
【００８７】
これにより、他端の搬送装置５０Ｂは、図１２や図１３に示されるように、その支持部材５２２が駆動軸５３１や案内支持部材５１２，５１３に支持された状態で第２の調整移動方向Ｃ２に移動させられる。
この結果、他端の搬送装置５０Ｂは、そのピン付き搬送ベルト５１が、幅寸法Ｗ２の連続用紙９Ｂに対する搬送動作位置Ｈ２（図１２）から幅寸法Ｗ１の連続用紙９に対する搬送動作位置Ｈ１（図８）と向き合うまで移動する。
【００８８】
また、この他端の搬送装置５０Ｂの搬送動作位置を調整する移動動作を行うと、その覆い部材５６Ｂにある突起７０が、除去装置６０（他端の除去装置６０Ｂ）における案内溝７５を上記第２の調整移動方向Ｃ２に引っ張って移動するようになる。
【００８９】
この際、その突起７０が第２の調整移動方向Ｃ２に沿って直線的に移動する直線運動は、案内溝７５を上記第２の移動方向Ｄ２と同様の方向に移動させる力Ｆ１２に変換される（図１２）。
この力Ｆ１２により、他端の除去装置６０Ｂは、その可動部８１（吹付け装置６２Ｂなど）が移動支持部材６１Ｂを介して案内部材６１２，６１３に支持された状態で第２の移動方向Ｄ２に移動させられる。
【００９０】
そして、他端の搬送装置５０Ｂは、図８や図１２に示されるように幅寸法Ｗ１の連続用紙９に対する搬送動作位置Ｈ１まで移動させられて停止すると、その他端の搬送装置５０Ｂによる搬送動作位置の調整動作に連動して、他端の除去装置６０Ｂにおける可動部８１が連続用紙９の端部領域Ｅ２と向き合う除去位置（Ｐ１）まで移動させられて停止する。
この結果、他端の除去装置６０Ｂは、幅寸法Ｗの連続用紙９の少なくとも端部領域Ｅ２に存在する紙粉の除去を行うことが可能になる。
【００９１】
以上説明したように画像記録装置１では、連続用紙９の少なくとも送り孔９１を含む端部領域Ｅ１，Ｅ２に紙粉が存在していることがあっても、その連像用紙９が記録装置３０に達する前に除去装置６０による紙粉の除去が行われる。
したがって、この画像記録装置１においては、紙粉が連続用紙９により記録装置３０まで搬送されて侵入して記録装置３０における特に送り孔９１に近い位置に配置される分割印字ヘッド３１（３１Ａ，３１Ｄ，３１Ｅなど）のインク吐出口に浮遊して付着してしまい、インクの液滴の噴射が阻害されてしまうおそれが抑制される。この結果、分割印字ヘッド３１のインク吐出口が紙粉の付着により目詰まりすることで画質欠陥（白筋など）を誘発することが防止される。
【００９２】
［他の実施の形態］
実施の形態１では、除去装置６０（６０Ａ，６０Ｂ）の退避位置（Ｐ２）として、連続用紙９の幅方向における両端９ｃ，９ｄよりも外側に直線移動させた位置に設定した構成例を示したが、その退避位置（Ｐ２）としては、連続用紙９の着脱の作業に支障にならず、搬送装置５０（５０Ａ，５０Ｂ）における覆い部材５６（５６Ａ，５６Ｂ）の開閉動作に連動して移動できる構成が採用できる限りには、これに限定されず他の構成を適用することができる。
この構成の変更に関連して、覆い部材５６（５６Ａ，５６Ｂ）に設ける突起７０の構成や除去装置６０（６０Ａ，６０Ｂ）に設ける案内溝７５の構成についても他の構成を採用することも可能である。
【００９３】
実施の形態１では、除去装置６０として吹付け装置６２と吸引捕捉装置６３１を組み合わせた構成例を示したが、除去装置としては、この他にも例えば、吹付け装置６２がなく、連続用紙９の端部領域Ｅ１，Ｅ２に向き合って吸引する吸引装置と捕捉装置を組み合わせたものを適用しても構わない。
【００９４】
実施の形態１では、画像記録装置１として、搬送装置５０が記録装置３０よりも連続用紙９の搬送方向Ａの上流側に１つ配置されている構成例を示したが、画像記録装置１としては、その搬送方向Ａの上流側に複数の搬送装置５０が配置するように構成してもよい。
この場合、除去装置６０は、複数の搬送装置５０のうち少なくとも記録装置３０から搬送方向Ａの上流側に最初に配置される搬送装置５０と記録装置３０の間に設ければよい。
なお、画像記録装置１については、搬送装置５０を記録装置３０から搬送方向Ａの上流側に設けることに加えて、その下流側にも別の搬送装置５０を設けるように構成してもよい。
【００９５】
画像記録装置の全体の配置構成については、実施の形態１に係る画像記録装置１の配置構成に限定されず、他の配置構成を採用することも可能である。また、記録装置３０については、インクの液滴を噴射させて画像を記録する方式以外の記録方式（例えば電子写真方式）からなる記録装置を適用することも可能である。
【符号の説明】
【００９６】
１  …画像記録装置
９，９Ｂ…連続用紙（連続する媒体の一例）
９ａ…記録面
９ｃ，９ｄ…幅方向の両端
５０…搬送装置
５６…覆い部材
６０…除去装置
６５…吸引手段
７０…突起（連結部材の一例）
７５…案内溝
８１…可動部
８２…固定部
８３…接続部
Ａ  …搬送方向
Ｅ１，Ｅ２…端部領域
Ｐ１…除去位置
Ｐ２…退避位置
Ｗ  …幅寸法
【図１】
2019052014.tif 000003
【図２】
2019052014.tif 000004
【図３】
2019052014.tif 000005
【図４】
2019052014.tif 000006
【図５】
2019052014.tif 000007
【図６】
2019052014.tif 000008
【図７】
2019052014.tif 000009
【図８】
2019052014.tif 000010
【図９】
2019052014.tif 000011
【図１０】
2019052014.tif 000012
【図１１】
2019052014.tif 000013
【図１２】
2019052014.tif 000014
【図１３】
2019052014.tif 000015